(57)【特許請求の範囲】
【請求項１】
長物を収容し、収納するケースであって、
前記ケースは、箱本体（２）を含み、前部開口（２１）を通って前記箱本体（２）に挿入される前記長物を収納可能な開口径および長さ寸法を有し、
更に、前記ケースは、収納された前記長物を仕舞い込むための手段を含み、
前記長物を仕舞い込むための手段は、前記前部開口（２１）の少なくとも縁部（２４）に沿って配置される複数の可動板（２３）を含み、
前記可動板（２３）は、開放位置および閉鎖位置間を動き得るものであり、
前記可動板（２３）の前記開放位置は、前記可動板（２３）によって保持された前記長物が前記ケースの内側から外側へ移動することを妨げる前記可動板（２３）の配置位置であり、
前記可動板（２３）の前記閉鎖位置は、前記長物が前記ケース内部に収納される際に、前記可動板（２３）が、前記前部開口（２１）を遮らないよう、前記箱本体（２）の少なくとも側面（２５）に沿って配置される前記可動板（２３）の配置位置であり、
更に、前記ケースは、前記開放位置に前記可動板（２３）を保持する弾性対抗要素を含み、
前記弾性対抗要素は、外部圧力がかけられていない場合、前記ケースの内側へ向かう前記可動板（２３）の回転と対照をなし、前記開放位置に前記可動板を保持させ、
更に、前記ケースは、閉鎖位置における前記可動板（２３）の保持手段と、前記ケースに拘束される取付け用金具（６１）とを含み、
前記保持手段は、前記取付け用金具（６１）によって支持され、前記可動板（２３）を取付けるためのピン（６）を備え、
前記ケース内への前記長物の挿入は、前記複数の可動板（２３）に前記長物を寄り掛からせ、且つ前記弾性対抗要素の反作用に勝るような押し付けを前記複数の可動板（２３）に加えることによって前記ケース内側に前記長物を押し付けることによってなされるケース。
【請求項２】
前記可動板（２３）は、前記閉鎖位置において前記箱本体（２）の側面（２５）に平行に配置される請求項１に記載のケース。
【請求項３】
前記可動板（２３）は、前記開放位置において前記開口（２１）の側面（２５）に関して垂直に配置されると共に、前記閉鎖位置において前記開口（２１）の側面（２５）に沿い、且つ前記箱本体（２）の内側に配置し、
更に、前記可動板（２３）の回転軸は、前記開口（２１）の長手方向に位置する縁部（２４）と平行な位置関係である請求項１に記載のケース。
【請求項４】
前記可動板（２３）の回転は、前記開口（２１）の各長手方向の縁部（２４）に沿って配置される駆動軸（４）によって決定され、
更に、前記可動板（２３）は、前記駆動軸（４）によって固定される請求項３に記載のケース。
【発明の詳細な説明】
【技術分野】
【０００１】
本発明は長い物体を収納するかあるいは覆うためのケースに関する。このようなケースは通常倉庫あるいは貯蔵庫に整然として配置される。
【背景技術】
【０００２】
特に、本発明は携帯用銃の弾薬庫に準備されなければならないケース内に据え置かれる例えば銃弾のような長い物体に関する。このような弾薬庫は軍事機関、あるいは固定基地に設置される携帯用銃のための弾薬庫である；それ故、弾薬をもつケースは船倉のような携帯用銃の下側の貯蔵所に相当する倉庫あるいは貯蔵所に据え置かれる。
【０００３】
このような技術的解決において、弾薬あるいは銃弾は船倉から、通常弾薬倉庫あるいは貯蔵所から、少なくとも十分な予め決められる数の銃弾を常に含まなければならない弾薬庫へ迅速に運ばれなければならい。それ故、倉庫あるいは貯蔵所で、物を体を吊り上げ可能な自動取り扱い機器あるいは手動でこのような機能を行うことを目指す操作者による弾薬への接近性は携帯用銃の全装填システムの効率および一般的に貯蔵所管理の効率のため比較的重要な要因である。
【発明の概要】
【発明が解決しようとする課題】
【０００４】
かくして、倉庫のケースに含まれる物体の全取り扱いシステムの効率のための大変重要な要因はこのようなシステムが物体利用性を決定する速度である。この観点から、物体を含むケースから物体を除去するために要求される時間はまた重要である。
【０００５】
従来の技術解決はこれらの問題に十分な解決を提供しない。それ故、出願人はこのような問題を明らかにするような特徴を有するケースを提案する。
【０００６】
［本発明の詳細な説明］
特に、本発明は付帯特許請求項１の特徴を有する長い物体を収納するかあるいは覆うためのケースに関する。
【０００７】
本発明の実施態様において、このような物体はこのような倉庫に関連する携帯用銃の弾薬庫に利用可能に作られなければならない倉庫に貯蔵されるケースに含まれる銃弾である。ケースは複数のケースの列によって形成される少なくとも１つの供給モジュールに従う倉庫に配置される。
【０００８】
このようなケースの特徴および利点は図式に示す付帯の図面を参照して次の実施態様の説明からもっと明らかになる。
【図面の簡単な説明】
【０００９】
【図１】図１は本発明に従うケース全体の透視図である。
【図２】図２はケースに含まれる長い物体を保持すれための機構の透視詳細を示す。
【図３】図３はケースに含まれる長い物体を保持すれための機構の透視詳細を示す。
【発明を実施するための形態】
【００１０】
前記図面を参照して、長い物体Ｏを収納するかあるいは覆うためのケースは長い物体を適切に含むことのできるような寸法を有する箱本体２を含み、長い本体Ｏは前部開口２１を通ってこのような本体に挿入される。このような開口は回転レバーのようなしっかりした閉鎖手段で提供される伝統的な閉鎖窓（示されない）によって閉鎖される。
【００１１】
ケースはこのような開口２１の少なくとも縁面２４に沿って配置される少なくとも可動板２３を含むケース自身に収納される物体を保持するための手段を含み、このような板は開放位置および閉鎖位置間を動き得て、ここで開放位置は板が保持される物体に対し内側から外側へおよび逆の通行を邪魔する位置であり、閉鎖位置は板が前記開口を実質的に通れなくすることのないような方法で板が箱本体の少なくとも側面２５に沿って実質的に配置される位置である。
【００１２】
閉鎖位置でこのような少なくとも１つの板は箱本体の両側面２５に平行に配置される。
【００１３】
示される実施態様において、このような保持手段はケース開口の縦方向の両縁面に沿って配置される複数の板を含む。このような板は、開放位置で開口で側面に垂直にそして閉鎖位置で側面に沿ってかつ箱本体の内部に配置するように、このような縦方向の縁面に実質的に平行な軸の周囲を回転できる。
【００１４】
板の回転は開口の各縦方向の縁面２４に沿って配置されそしてこのような板を固定される駆動軸４の存在によってなされる。
【００１５】
弾性対抗要素は外部の圧力なしに開放位置に板の保持を決定する。このような弾性対抗要素は、例えばケース自身に挿入されなければならない物体Oの押し付けのため、ケースの内側へ向かって指向する可動板２３の回転に対して作用する。実際に、ケース内の物体Oの挿入は、可動板２３に物体Oを寄り掛からせ、そして弾性対抗要素の反作用に勝るような押し付けを複数の可動板２３に加えることによって内側に物体Oを直接押して優位になされ得る。
【００１６】
代案として、可動板２３は、駆動軸４上で作用して回転させるかあるいは他の適切な押し付け手段で板を押し付けられる。弾性対抗要素は、可動板２３がケースの内側方向に回転されるとき、圧縮される１対のスプリング５を望ましくは含む。優利に、本発明に従って、ケースは、可動板２３が前記開放位置を越えてケース自身の内側へ回転できないので、ケースから物体の除去の操作を容易にするように、閉鎖位置に可動板２３を維持するための手段をまた含む。このように、物体を除去させるために、可動板２３は予め決められる時間閉鎖して維持されなければならず、そしてこれはこのような保持手段によって優利に行われ得て、保持手段は示される実施態様においてケースに拘束される取付け用金具６１によって支持され、このような可動板２３を備える筐体内に挿入するピン６を含む。
【００１７】
優利に、もしケースの開口側面当り１つの板以上があると、保持手段は側面当り、望ましくは、駆動軸上の圧縮力を制限するように開口の最も中央位置に配置される１つの板にのみ関連される。
【００１８】
本発明で、ケースに貯蔵される物体への接近は、カバーが物体自身への接近のため開かれると外面から簡単に押し付けをすることによって閉鎖位置に板を動かすことは十分であるので、比較的簡単である；物体はそれから容易に除去される。除去の間、保持手段は要求される時間このような閉鎖位置に板を維持する。
【００１９】
板に関連し、弾性手段の抵抗に打ち勝つ力で内部の物体を単純に“押す”ことによってなされ得るケース内に物体の挿入の操作は単純化されるので、この操作は板を開放位置から閉鎖位置に動かす。
【符号の説明】
【００２０】
Ｏ    長い物体
２    箱本体
４    駆動軸
６    ピン
２１  前部開口
２３  可動板
２４  縁面
２５  側面
６１  腕木
【図１】
0005986715.tif 000002
【図２】
0005986715.tif 000003
【図３】
0005986715.tif 000004